(57)【要約】【課題】キー溝にキーを差し込んで回動操作することにより枠体やガラス窓のロックを外す手動式解錠装置に、モータを利用したリモートコントロール式機能を付加し、手動式とリモートコントロール式との解錠操作を選択可能とする。【解決手段】爪付きカム８を回動させるモータ９を、枠体２裏側の側縁から延出され、枠体２の回動支点を中心とした円弧状のプレート状アーム１１の先端に取り付けることにより、爪付きカム８に対し遠ざけて配置する。爪付きカム８とモータ９の回動軸９ａとは、クラッチ機構１０とフレキシブルシャフト１２とを介して連結する。クラッチ機構１０は、フレキシブルシャフト１２を遊挿可能な筒状の摺動部材１３に形成されたへの字状の長穴１３ａと、フレキシブルシャフト１２に突設されたピン１４との組み合わせによって、フレキシブルシャフト１２の回動力のみで、爪付きカム８に対して前記摺動部材の接離動作と回動操作とを連続して二段階に実行可能に構成する。【選択図】    図２
2004270387.tif 000002
【特許請求の範囲】
【請求項１】
枠体に装備された錠前の鍵穴に挿し込んだキーにより回動される内筒の回動力を爪付きカムに伝達し、その爪付きカムの爪と、枠体裏側の側縁に配置されたスライドプレートにおける係止部との係止作用によって前記スライドフレートを上下にスライドせしめ、スライドプレートに連結されているロック部材による枠体又は窓枠のロックを解除可能とした遊技機の解錠装置にあって、前記内筒に対し、爪付きカムから遠ざけて配置したアクチュエータの回動軸を、クラッチ機構とフレキシブルシャフトとを介して連結することにより、前記アクチュエータによっても爪付きカムを回動可能とした遊技機の解錠装置。
【請求項２】
アクチュエータがモータであって、そのモータが、枠体裏面の側縁から延出されたプレート状アームの先端に取り付けられている請求項１に記載した遊技機の解錠装置。
【請求項３】
アームが枠体の回動支点を中心とした円弧状に形成されている請求項２に記載した遊技機の解錠装置。
【請求項４】
爪付きカムがクラッチ機構の内筒連結側に取り付けられている請求項１〜３のいずれかに記載された遊技機の解錠装置。
【請求項５】
爪付きカムが、クラッチ機構のフレキシブルシャフト連結側に取り付けられている請求項１〜３のいずれかに記載された遊技機の解錠装置。
【請求項６】
クラッチ機構が、フレキシブルシャフトを遊挿可能な筒状の摺動部材に、軸方向に対して傾斜したガイド壁を形成すると共に、摺動部材に遊挿したフレキシブルシャフトに、前記前記ガイド壁に対して相対的に摺動可能なピンを突設することにより、それらガイド壁とピンとを係合させた状態にてフレキシブルシャフトが遊挿された摺動部材を、フレキシブルシャフトの回動力のみで、内筒側に対して接離及び回動操作を可能に構成されている請求項１〜５のいずれかに記載した遊技機の解錠装置。
【請求項７】
ガイド壁が周方向に沿ってへの字状に切り抜かれた長穴の内壁面で構成される請求項６に記載した遊技機の解錠装置。
【発明の詳細な説明】
【０００１】
【発明の属する技術分野】
本発明は、錠前の鍵穴に挿し込んだキーにより爪付きカムを回動させる手動式の解錠装置に、モータの駆動力を利用して枠体或いはガラス窓のロックを解除するリモートコントロール式の機能を付加した遊技機の解錠装置に関する。
【０００２】
【従来の技術】
パチンコ台に代表される遊技機はホールに設置され、不特定多数を対象としている。
ホール内では、遊技球の追加は勿論、遊技球の貸し出しまでもが自動化されているので、球切れによってプレーが中断されることはなくなった。
しかし機械には動作不良がつきものであって、遊技球が盤面に打たれた釘の間に挟まり停滞してしまったり、通路の途中で詰まり、遊技球の流れが止まってしまうなどのトラブルは避けられない。
そのため、トラブルが生じたら枠体或いはガラス窓を開いて即座に対応できるよう、各台の枠体或いはガラス窓は開閉式になっている。
しかしながらパチンコ台はギャンブル性が高く、不正な行為が予想されるので、その防止対策として枠体或いはガラス窓には必ず施錠装置が装備されていて、その施錠装置は、通常ロックされているが、必要に応じて解錠装置を働かせ、ロックを外すことができるようになっている。
【０００３】
従来の解錠装置は、特許文献１に記載のように、枠体に組み込まれた錠前のキー穴にキーを差し込み、錠前の内筒を回動操作し、その内筒と一緒に回動される爪付きカムの爪と、枠体裏側の側縁に配置されたスライドプレートにおける係止部との係止作用でスライドフレートを上下にスライドせしめ、スライドプレートに連結されているロック部材による枠体又は窓枠のロックを解除可能する手動式のものが広く普及しているが、近年は、３Ｋ対策の一つとして、係員をキーの回動操作から解放すべく、特許文献２や特許文献３に開示されているが如く、スイッチ操作によりモータなどのアクチュエータを利用してロックを外すリモートコントロール式の解錠装置の開発も盛んになってきた。
【０００４】
【特許文献１】
特開２００２−３０１２５１号公報
【特許文献２】
特開平５―２９３２３６号公報
【特許文献３】
実開平６−４４５８４号公報
【０００５】
【発明が解決しようとする課題】
リモートコントロール式の解錠装置は、例えば前記した特許文献２，特許文献３に記載のように、スライドプレートを枠体裏面に組み付けたモータで上下移動させたり、ロック部材をワイヤーで引っ張る構造である。
しかし枠体で囲まれた遊技板の裏側には、遊技球を供給し、回収し、発射するための各機構や、入賞する度に提供する遊技球の払い出し機構に加え、大当たりの抽選や絵柄表示、ライトの点滅などを司る制御基盤などがぎっしりと組み付けられ、それらはカバーで覆われているため、そのようなパチンコ台では、図６に示すように、基枠１とカバー４との隙間が狭いため、モータ９を枠体２に組み付けできるスペースの確保が難しく、仮に組み付けができたとしても、組み付けられたモータ９が基枠１に引っ掛かって枠体２を開くことができなくなったり、ワイヤーが引っ掛かってロック部材が動作不良を起こし、ロックを外せないなどのトラブル発生が予想される。
【０００６】
【課題を解決するための手段】
本発明は、既存の解錠及び施錠装置に用いられている機構と、わずかに残されたスペースを有効に利用し、リモートコントロール式と手動式との共存を図った遊技機の解錠装置であり、その構成は、枠体に装備された錠前の鍵穴に挿し込んだキーにより回動される内筒の回動力を爪付きカムに伝達し、その爪付きカムの爪と、枠体裏側の側縁に配置されたスライドプレートにおける係止部との係止作用によって前記スライドフレートを上下にスライドせしめ、スライドプレートに連結されているロック部材による枠体又は窓枠のロックを解除可能とした遊技機の解錠装置にあって、前記内筒に対し、爪付きカムから遠ざけて配置したアクチュエータの回動軸を、クラッチ機構とフレキシブルシャフトとを介して連結することにより、前記アクチュエータによっても爪付きカムを回動可能としたものである。
【０００７】
又、前記アクチュエータにモータを採用し、そのモータを、枠体裏面の側縁から延出されたプレート状アームの先端に取り付けたり、そのアームを枠体の開閉中心を支点とした円弧状に形成することができる。
更に、前記爪付きカムの取り付けは、内筒とクラッチ機構とのいずれかを選択でき、クラッチ機構は、フレキシブルシャフトを遊挿可能な筒状の摺動部材に、軸方向に対して傾斜したガイド壁を形成すると共に、摺動部材に遊挿したフレキシブルシャフトに、前記前記ガイド壁に対して相対的に摺動可能なピンを突設することにより、それらガイド壁とピンとを係合させた状態にてフレキシブルシャフトが遊挿された摺動部材を、フレキシブルシャフトの回動力のみで、内筒側に対して接離及び回動操作を可能に構成することができる。
そして前記ガイド壁は、への字状に切り抜かれた長穴の内壁面で構成することができる。
【０００８】
【発明の実施の形態】
以下に、本発明の実施形態を、パチンコ台に実施した一例について図面に基づき説明する。
図１は枠体を半開き状態にして施錠装置Ａとの解錠装置Ｂとの配置関係を示したパチンコ台であって、このパチンコ台は、島に形成されたマウント部に嵌め込んで設置するための基枠１に、枠体２が側縁を支点として回動自在に組み付けられ、又その枠体２には、ガラス窓３が側縁を支点として回動自在に組み付けられている。
前記枠体２には、枠内いっぱいにパチンコ台の顔ともいえる遊技盤（セル盤）が装備されており、その遊技盤の裏面には、遊技球の供給、回収及び払い出し機構に加え、大当たりの抽選や絵柄表示、ライトの点滅などを司る制御基盤、発射装置などが取り付けられ、それらの機構や基盤類はボックス状のカバー４で覆われている。
【０００９】
又、前記枠体２には一般的なパチンコ台と同様、図２に示すように、裏面側縁に配置されているスライドプレート５，６にそれぞれ連結されたロック部材としての係止爪５ａ，６ａで枠体２又は窓枠３をロックする施錠装置Ａと、キー７ａの回動操作で錠前７の内筒７ｂを回動し、その内筒７ｂと一体に回動される爪付きカム８の爪８ａ，８ｂと前記各スライドプレート５，６に形成されている係止部５ｂ、６ｂとの係止作用でスライドプレート５，６を上下にスライドせしめ、枠体２或いはガラス窓３のロックを解除可能とした手動式の解錠装置Ｂが装備されている。
そしてこの解錠装置Ｂは、アクチュエータとしてのモータ９と前記爪付きカム８とをクラッチ機構１０を介して連結することにより、リモートコントロール式としても機能するようになっている。
【００１０】
前記モータ９は、枠体２裏面の側縁から延出されたプレート状アーム１１の先端に取り付けられており、一方クラッチ機構１０は、前記モータ９の回動軸９ａに連結されたフレキシブルシャフト１２の先端部分を遊挿可能な筒状の摺動部材１３に、への字状に屈曲した長穴１３ａを周方向に形成し、その摺動部材１３に遊挿されたフレキシブルシャフト１２の先端部分に、前記長穴１３ａを貫通させたピン１４を打ち込むことにより構成されている。
つまり、フレキシブルシャフト１２と摺動部材１３とは、フレキシブルシャフト１２に突設され、摺動部材１３の長穴１３ａから頭出しされたピン１４によって連結されている。
そして爪付きカム８（内筒７ｂ）と摺動部材１３の対抗面にはいずれも噛み合い歯１５、１６が形成され、長穴１３ａのへ字状の頂点は対向方向側を向いている。
【００１１】
次に、前記解錠装置Ｂがリモートコントロール式として機能する動作について説明する。
前記モータ９やクラッチ機構１０などは、前記プレート状アーム１１と一体に形成されたフレーム１７に組み付け支持されている。
枠体２或いはガラス窓３がロックされている状態においては、爪付きカム８の爪８ａが、各スライドプレート５，６に形成されている係止部５ｂ、６ｂのいずれとも接触しない中立位置にあり、モータ９の回転力はフレキシブルシャフト１２を介してクラッチ機構１０へ確実に伝達させるようになっていて、爪付きカム８は摺動部材１３から完全に切り離された状態に維持されている（図３のａ）。
従って手動式の場合は何のトラブルもなくキー７ａにて爪付きカム８を回動操作することができる。
【００１２】
リモートコントロール式で動作させた場合は、モータ９によりフレキシブルシャフト１２が回動（右回り）されると、ピン１４が、長穴１３ａの対向側内面をガイド壁とし、そのガイド壁に対して相対的に移動するので、第一段階では、摺動部材１３が対向側に押し出され、爪付きカム８と摺動部材１３の各対抗面に形成されている噛み合い歯１５、１６同士が噛み合わされる（図３のｂ）。
ピン１４が長穴１３ａの終端部に到達した第２段階では、摺動部材１３を供回りさせるので、爪付きカム８も回動し、爪８ａが係止部６ｂを押し下げ、枠体２のロックが解除される（図３のｃ）。
又、モータ９を逆方向に回動させれば、ガラス窓３のロックを解除することができる。
このようにモータを利用して解錠操作できるから、作業性は飛躍的に向上し、アクチュエータとしてモータを採用することによって、電気的制御も容易に行える。
【００１３】
モータを爪付きカムから遠ざけるには、プレート状アームを介して配置する以外、基盤類を覆うボックス状のカバーに取り付けることもでき、プレート状アームを利用する場合には、撓みやすい材質で形成したり、枠体２の回動支点を中心とした円弧状に形成することで、枠体の開閉操作がスムーズに行えるようすることが望ましい。
又、摺動筒１３は、第一段階で供回りしてしまわないように、回転抵抗を付与したり、軸方向へ付勢して、動作不良を防止することができる。
【００１４】
この実施例では、爪付きカムを内筒に取り付ける構造であるから、爪付きカムは既存の手動式解錠装置をそのまま無改造で利用できるが、リモートコントロール式の解錠動作を可能とするためには、爪付きカムと一緒に内筒を回動させることができる錠前を採用しなくてはならないので、防犯上不安が残る。
そこで防犯対策の強化を図るべく、内筒のロック機構付き錠前を採用し、リモートコントロール式の解錠操作に連動し、例えばキーの押し付け操作で爪付きカムのロックを外す解除機構を付加することが好ましい。
【００１５】
次に防犯対策の施された変更例について説明する。
この変更例では、前記実施例と共通する部分については詳しい説明を省略し、共通する部材には同一符号を付す。
爪付きカム８をクラッチ機構１０におけるフレキシブルシャフト１２との連結側に取り付けると共に、長穴１３ａはへ字状の頂点の向きを反対にし、枠体２或いはガラス窓３がロックされている状態においては、爪付きカム８と摺動部材１３とが連結された状態に保たれている（図４のａ）。
従って、フレキシブルシャフト１２が回動（右回り）されると、第一段階では、摺動部材１３が対向側と逆方向に引き戻され、内筒７ｂと爪付きカム８（摺動部材１３）の各対抗面に形成されている噛み合い歯１５、１６同士が外れる（図４のｂ）。
ピン１４が長穴１３ａの終端部に到達した第二段階では、摺動部材１３を供回りさせるので、爪付きカム８も回動し、爪８ｂが係止部５ａを押し下げ、枠体２のロックが解除される（図４のｃ）。
尚モータ９を逆方向に回動させれば、ガラス窓３のロックを解除することができることは前記実施例と同様である。
【００１６】
この実施例において、キーを回動操作した場合、モータの回動軸も一緒に回動させることになるので操作の際抵抗力は増すが、内筒のロック機構を備えた既存の錠前を採用できるので、防犯上の信頼性は高い。
【００１７】
いずれの実施例も、一つのモータで、クラッチ機構と爪付きカムの回動操作を二段階にて連続して行うことができるので、効率が良く、合理的ではあるが、独立して動作される例えば電磁クラッチを採用することもできる。
尚、プレート状アーム１１を前記したように撓みやすい材質で形成したり、枠体２の回動支点を中心とした円弧状に形成すると、図５に示すように、枠体２を開閉する際、枠体２がプレート状アーム１１を介して基枠１と擦り合わされるため、枠体２は回動支点の反対側が補助的に支持されることとなり、ヒンジ部に加わる負荷が軽減されてぐらつきにくい。
【００１８】
尚、本発明において、施錠及び解錠装置は、爪付きカムを利用してスライドプレートを上下移動させる構造であれば、爪や係止部など、実施例に限定されるものでなく、又、採用するアクチュエータは、モータ以外、ソレノイド、エアーシリンダなど適宜変更して差し支えない。
又、摺動部材に形成されるガイド壁は、長穴の内壁面を利用するばかりでなく、切り欠き溝やリブなども利用できる。
更に本発明は、パチンコ台以外の遊技機にも好適利用できる。
【００１９】
【発明の効果】
以上詳述したように、本発明によれば、既存の手動式解錠装置に、リモートコントロール式の機能を付加したので、いちいちキーを回動操作することなく、電気的信号などで枠体やガラス窓のロックを外すことが可能となる。
特に、閉店時にメンテナンスする際は、ボタン一つで総ての台に対し、一斉に信号を送信してロックの解除を可能とすれば、一台づついちいちキー操作しなくとも済む。
【００２０】
そして、アクチュエータにモータを採用すれば、電気信号にて簡単に制御できるし、モータを、枠体裏面の側縁から延出されたプレート状アームの先端に取り付ければ、枠体を開閉する際にモータが邪魔にはならない。
又、爪付きカムをクラッチ機構の内筒連結側に取り付ける構造とすれば、爪付きカムは既存の解錠装置のままで改造の必要は無く、爪付きカムを、クラッチ機構のフレキシブルシャフト連結側に取り付ける構造とすれば、防犯対策も完璧となる。
【００２１】
更に、フレキシブルシャフトを遊挿可能な筒状の摺動部材に、軸方向に対して傾斜したガイド壁を形成すると共に、摺動部材に遊挿したフレキシブルシャフトに、前記前記ガイド壁に対して相対的に摺動可能なピンを突設することにより、それらガイド壁とピンとを係合させた状態にてフレキシブルシャフトが遊挿された摺動部材を、フレキシブルシャフトの回動力のみで、内筒側に対して接離及び回動操作を可能なクラッチ機構を採用すれば、一つのモータで、クラッチ機構と爪付きカムの回動操作を二段階にて連続して行うことができ、効率が良く、合理的である。
そして、ガイド壁を、周方向に沿ってへの字状に切り抜かれた長穴の内壁面で構成すれば、ピンが長穴から外れることはないから、動作不良を起こさない。
【図面の簡単な説明】
【図１】本発明の一実施形態を示すパチンコ台の説明図である。
【図２】解錠装置を分解して示した説明図である。
【図３】解錠動作の説明図である。
【図４】変更例及びその変更例における解錠動作の説明図である。
【図５】プレート状アームの働きについて示した説明図である。
【図６】従来例の説明図である。
【符号の説明】
Ａ・・施錠装置、Ｂ・・解錠装置、１・・基枠、２・・枠体、３・・ガラス窓、４・・カバー、５、６・・スライドプレート、５ａ，６ａ・・係止爪、５ｂ．６ｂ・・係止部、７・・錠前、７ａ・・キー、７ｂ・・内筒、８・・爪付きカム、８ａ，８ｂ・・爪、９・・モータ、９ａ・・回動軸、１０・・クラッチ機構、１１・・プレート状アーム、１２・・フレキシブルシャフト、１３・・摺動部材、１３ａ・・長穴、１４・・ピン、１５，１６・・噛み合い歯、１７・・フレーム。
【図１】
2004270387.tif 000003
【図２】
2004270387.tif 000004
【図３】
2004270387.tif 000005
【図４】
2004270387.tif 000006
【図５】
2004270387.tif 000007
【図６】
2004270387.tif 000008